(57)【要約】【課題】本発明は、比較的良好な特性を有する記録層を提供すること。【解決手段】本発明の一態様に係る記録層は、レーザー光の照射によって記録が行われる光情報記録媒体用の記録層であって、Ｗ酸化物と、Ｆｅ酸化物と、Ｔａ酸化物及びＮｂ酸化物の少なくともいずれかとを含み、全金属原子中、Ｆｅを１０ａｔｏｍｉｃ％以上６０ａｔｏｍｉｃ％以下、Ｔａ及びＮｂを合計で３ａｔｏｍｉｃ％以上５０ａｔｏｍｉｃ％以下含むことを特徴とする。【選択図】図１
2019215948.tif 000002
【特許請求の範囲】
【請求項１】
レーザー光の照射によって記録が行われる光情報記録媒体用の記録層であって、
Ｗ酸化物と、
Ｆｅ酸化物と、
Ｔａ酸化物及びＮｂ酸化物の少なくともいずれかと
を含み、
全金属原子中、Ｆｅを１０ａｔｏｍｉｃ％以上６０ａｔｏｍｉｃ％以下、Ｔａ及びＮｂを合計で３ａｔｏｍｉｃ％以上５０ａｔｏｍｉｃ％以下含むことを特徴とする記録層。
【請求項２】
Ｍｎ酸化物、Ｃｕ酸化物、Ｚｎ酸化物、Ａｇ酸化物、Ａｌ酸化物のうち少なくとも１つをさらに含む請求項１に記載の記録層。
【請求項３】
平均厚さが１５ｎｍ以上６０ｎｍ以下である請求項１又は請求項２に記載の記録層。
【請求項４】
請求項１、請求項２又は請求項３に記載の記録層を備える光情報記録媒体。
【請求項５】
上記記録層の少なくとも一方の面に積層され、金属酸化物を主成分とし、平均厚さが５ｎｍ以上５０ｎｍ以下である保護層をさらに備える請求項４に記載の光情報記録媒体。
【請求項６】
レーザー光の照射によって記録が行われる光情報記録媒体用の記録層をスパッタリングにより形成するためのスパッタリングターゲットであって、
Ｗと、
Ｆｅと、
Ｔａ及びＮｂの少なくともいずれかと
を含み、
全金属原子中、Ｆｅを１０ａｔｏｍｉｃ％以上６０ａｔｏｍｉｃ％以下、Ｔａ及びＮｂを合計で３ａｔｏｍｉｃ％以上５０ａｔｏｍｉｃ％以下含むことを特徴とするスパッタリングターゲット。
【発明の詳細な説明】
【技術分野】
【０００１】
本発明は、記録層、光情報記録媒体及びスパッタリングターゲットに関する。
【背景技術】
【０００２】
例えばＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の光ディスクに代表される光情報記録媒体は、再生専用、追記型及び書き換え型の３種類に分類される。このうち、追記型光ディスクの記録方式としては、例えば記録層の材料が相変化する方式、記録層の材料が反応する方式、記録層の材料が分解する方式、記録層に孔が開けられる方式等が知られている。
【０００３】
これらの中で記録層の材料が分解する方式として、特許第５３４６９１５号公報にはＭｎ酸化物を用いた方法が提案され、特開２０１１−６２９８１号公報にはＰｄ酸化物を用いた方法が提案され、特開２０１４−２６７０４号公報にはＷ−Ｆｅ酸化物を用いた方法が提案されている。
【先行技術文献】
【特許文献】
【０００４】
【特許文献１】特許第５３４６９１５号公報
【特許文献２】特開２０１１−６２９８１号公報
【特許文献３】特開２０１４−２６７０４号公報
【発明の概要】
【発明が解決しようとする課題】
【０００５】
光情報記録媒体に求められる主な要求特性としては、反射率が十分に大きいこと、変調度が十分に大きいこと（記録による反射率の変化が大きいこと）、記録感度が十分に大きいこと（実用的な出力のレーザーで記録可能であること）、パワーマージンが十分に大きいこと、及びジッターが十分に小さいこと（信号精度が高いこと）が挙げられる。
【０００６】
上記各公報に記載の構成では、単層の記録層によってこれら全ての要求特性を満足することが難しいため、記録層に不足している特性を付加する機能層を積層して光情報記録媒体を形成している。具体的には、記録層単体では反射率が十分確保できないため記録層の裏面（レーザー照射面の反対側）に反射層を積層したり、記録層単体では変調度が不十分であるため誘電体層を積層したりすることが必要となる。このため、上記各公報に記載の構成では、層の数が多くなるので、光情報記録媒体の生産性を向上することが難しい。
【０００７】
また、光記録媒体の中には、複数の記録層を有するものがある。このような多層光記録媒体では、記録層の透過率が大きいことが要求される。このため、層の数が多い上記各公報に記載の構成では、透過率を大きくすることが難しいという不都合も生じる。
【０００８】
以上のような実状に鑑みて、本発明は、単体で比較的良好な特性を有する記録層、生産性に優れる光情報記録媒体、及び単体で比較的良好な特性を有する記録層を形成することができるスパッタリングターゲットを提供することを課題とする。
【課題を解決するための手段】
【０００９】
上記課題を解決するためになされた本発明の一態様に係る記録層は、レーザー光の照射によって記録が行われる光情報記録媒体用の記録層であって、Ｗ酸化物と、Ｆｅ酸化物と、Ｔａ酸化物及びＮｂ酸化物の少なくともいずれかとを含み、全金属原子中、Ｆｅを１０ａｔｏｍｉｃ％以上６０ａｔｏｍｉｃ％以下、Ｔａ及びＮｂを合計で３ａｔｏｍｉｃ％以上５０ａｔｏｍｉｃ％以下含むことを特徴とする。
【００１０】
当該記録層は、Ｗ酸化物と、Ｆｅ酸化物と、Ｔａ酸化物及びＮｂ酸化物の少なくともいずれかとを含むことによって、屈折率を大きくしながら消衰係数を小さくすることができると共に、その他の特性も比較的良好なものとすることができる。特に、全金属原子中のＦｅの含有率を上記範囲内とすることによって、比較的大きい透過率を得ながら、当該記録層の材料を熱分解するために必要とされるエネルギーを小さくすることができる。また、全金属原子中のＴａ及びＮｂの合計含有率を上記範囲内とすることによって、当該記録層は、比較的良好な変調度、ジッター値及びパワーマージンを得ることができる。このため、当該記録層は、単体で比較的良好な特性を得ることができる。
【００１１】
当該記録層は、Ｍｎ酸化物、Ｃｕ酸化物、Ｚｎ酸化物、Ａｇ酸化物、Ａｌ酸化物のうち少なくとも１つをさらに含むことが好ましい。このように、Ｍｎ酸化物、Ｃｕ酸化物、Ｚｎ酸化物、Ａｇ酸化物、Ａｌ酸化物のうち少なくとも１つをさらに含むことによって、当該記録層の記録感度、透過率及び反射率を調整することができる。
【００１２】
当該記録層において、平均厚さが１５ｎｍ以上６０ｎｍ以下であることが好ましい。このように、平均厚さが上記範囲内であることによって、当該記録層の反射率、変調度及び透過率をより好ましいものとすることができる。
【００１３】
本発明の別の態様に係る光情報記録媒体は、上述の記録層を備える。当該光情報記録媒体は、当該記録層が単体で比較的良好な特性を有することによって層数が少ないため、生産性に優れる。
【００１４】
当該光情報記録媒体は、上記記録層の少なくとも一方の面に積層され、金属酸化物を主成分とし、平均厚さが５ｎｍ以上５０ｎｍ以下である保護層をさらに備えることが好ましい。このように、上記記録層の少なくとも一方の面に積層され、金属酸化物を主成分とし、平均厚さが上記範囲内の保護層をさらに備えることによって、記録信号の環境耐性を向上することができる。
【００１５】
本発明のまた別の態様に係るスパッタリングターゲットは、レーザー光の照射によって記録が行われる光情報記録媒体用の記録層をスパッタリングにより形成するためのスパッタリングターゲットであって、Ｗと、Ｆｅと、Ｔａ及びＮｂの少なくともいずれかとを含み、全金属原子中、Ｆｅを１０ａｔｏｍｉｃ％以上６０ａｔｏｍｉｃ％以下、Ｔａ及びＮｂを合計で３ａｔｏｍｉｃ％以上５０ａｔｏｍｉｃ％以下含むことを特徴とする。
【００１６】
当該スパッタリングターゲットは、Ｗと、Ｆｅと、Ｔａ及びＮｂの少なくともいずれかとを含み、全金属原子中のＦｅ含有率、並びにＴａ及びＮｂの合計含有率を上記範囲内とすることによって、単体で比較的良好な特性を有する記録層を形成することができる。
【００１７】
なお、「主成分」とは、質量含有率が最も大きい成分を意味する。
【発明の効果】
【００１８】
以上のように、本発明に係る記録層及び本発明に係るスパッタリングターゲットを用いて形成される記録層は、単体で比較的良好な特性を有する。また、本発明に係る光情報記録媒体は、生産性に優れる。
【図面の簡単な説明】
【００１９】
【図１】本発明の一実施形態の光情報記録媒体の構成を示す模式的断面図である。
【発明を実施するための形態】
【００２０】
以下、適宜図面を参照しつつ、本発明の実施の形態を詳説する。
【００２１】
［光情報記録媒体］
図１に、本発明に係る光情報記録媒体の一実施形態の光ディスクの層構造を示す。当該光情報記録媒体は、基板１と、この基板１の表面に積層される裏側保護層２と、この裏側保護層２の表面に積層される記録層３と、この記録層３の表面に積層される表側保護層４と、この表側保護層４の表面に積層される光透過層５とを備える。当該光情報記録媒体において、記録層３は、それ自体が本発明に係る記録層の一実施形態である。
【００２２】
＜基板＞
基板１は、記録層３を担持する円板状の部材である。この基板１の材質としては、例えばポリカーボネート、ノルボルネン系樹脂、環状オレフィン系共重合体、非晶質ポリオレフィン等を用いることができる。基板１の平均厚さとしては、例えば０．５ｍｍ以上１．２ｍｍ以下とすることができる。
【００２３】
＜裏側保護層＞
裏側保護層２は、当該光情報記録媒体の記録信号の対環境性を向上するために設けられる。つまり、この裏側保護層２は、基板１を通して例えば酸素、水分等が記録層３に浸入し、記録層３の材料が変質して記録した情報の読み出しができなくなることを防止するために設けられる。
【００２４】
裏側保護層２は、金属酸化物を主成分とする。この裏側保護層２の主成分とされる金属酸化物としては、例えばＺｎ酸化物、Ｉｎ酸化物、Ｓｎ酸化物、Ｓｉ酸化物、Ａｌ酸化物、Ｚｒ酸化物、Ｇａ酸化物等が好ましく、これらの混合物を用いてもよい。
【００２５】
裏側保護層２の平均厚さの下限としては、５ｎｍが好ましく、１０ｎｍがより好ましい。一方、裏側保護層２の平均厚さの上限としては、５０ｎｍが好ましく、２０ｎｍがより好ましい。裏側保護層２の平均厚さが上記下限に満たない場合、バリア性が不十分となり、記録層３の変質による記録信号の喪失を防止できないおそれがある。逆に、裏側保護層２の平均厚さが上記上限を超える場合、光学的な干渉により記録層３の反射率を低下させるおそれや、不必要に生産性が低下するおそれがある。
【００２６】
＜記録層＞
記録層３は、Ｗ酸化物（酸化タングステン）と、Ｆｅ酸化物（酸化鉄）と、Ｔａ酸化物（酸化タンタル）及びＮｂ酸化物（酸化ニオブ）の少なくともいずれかとを含む材料から形成される。特に、記録層３中のＦｅ酸化物は、過酸化物を含み、この過酸化物が記録時のレーザー光の熱により分解して記録マークを形成する。
【００２７】
この記録層３は、Ｗ酸化物、Ｆｅ酸化物、並びにＴａ酸化物及びＮｂ酸化物の少なくともいずれかを含むことによって、大きい屈折率を維持しながら消衰係数（吸収係数）を小さくすることができるので、高反射率と高透過率とを両立できる。また、このような材質から形成される記録層３は、変調度を大きくすることができるので良好な記録信号を得ることができる。
【００２８】
記録層３における全金属原子中のＷ、Ｆｅ、Ｔａ及びＮｂの合計含有量の下限としては、７０ａｔｍｉｃ％が好ましく、８０ａｔｏｍｉｃ％がより好ましい。一方、記録層３における全金属原子中のＷ、Ｆｅ、Ｔａ及びＮｂの合計含有量の上限としては、特に限定されず、１００ａｔｏｍｉｃ％であってもよい。記録層３における全金属原子中のＷ、Ｆｅ、Ｔａ及びＮｂの合計含有量が上記下限に満たない場合、上述のような所望の特性を得ることができないおそれがある。
【００２９】
（Ｗ）
記録層３における全金属原子中のＷの含有量の下限としては、２０ａｔｏｍｉｃ％が好ましく、３０ａｔｏｍｉｃ％がより好ましい。一方、記録層３における全金属原子中のＷの含有量の上限としては、８０ａｔｏｍｉｃ％が好ましく、７０ａｔｏｍｉｃ％がより好ましい。記録層３における全金属原子中のＷの含有量を上記範囲内とすることによって、記録層３に必要な特性を付与することができる。
【００３０】
（Ｆｅ）
記録層３における全金属原子中のＦｅの含有量の下限としては、１０ａｔｏｍｉｃ％であり、１５ａｔｏｍｉｃ％が好ましい。一方、記録層３における全金属原子中のＦｅの含有量の上限としては、６０ａｔｏｍｉｃ％であり、５０ａｔｏｍｉｃ％が好ましい。記録層３における全金属原子中のＦｅの含有量が上記下限に満たない場合、記録に必要なレーザーパワーが大きくなりすぎるおそれがある。逆に、記録層３における全金属原子中のＦｅの含有量が上記上限を超える場合、透過率が不十分となるおそれがある。
【００３１】
（Ｔａ，Ｎｂ）
記録層３における全金属原子中のＴａ及びＮｂの合計含有量の下限としては、３ａｔｏｍｉｃ％であり、１０ａｔｏｍｉｃ％が好ましい。一方、記録層３における全金属原子中のＴａ及びＮｂの合計含有量の上限としては、５０ａｔｏｍｉｃ％であり、３５ａｔｏｍｉｃ％が好ましい。記録層３における全金属原子中のＴａ及びＮｂの合計含有量が上記下限に満たない場合、記録層３の変調度が小さくなり、ジッター値が過大となるおそれや、パワーマージンが不十分となるおそれがある。逆に、記録層３における全金属原子中のＴａ及びＮｂの合計含有量が上記上限を超える場合、記録に必要なレーザーパワーが大きくなりすぎるおそれや、記録層３の製造コストが不必要に増大するおそれがある。
【００３２】
（その他の金属）
記録層３は、Ｗ酸化物と、Ｆｅ酸化物と、Ｔａ酸化物及びＮｂ酸化物の少なくともいずれかとに加えて、Ｍｎ酸化物、Ｃｕ酸化物、Ｚｎ酸化物、Ａｇ酸化物及びＡｌ酸化物のうちの１種又は複数種をさらに含んでもよい。記録層３にＭｎ酸化物、Ｃｕ酸化物、Ｚｎ酸化物、Ａｇ酸化物、Ａｌ酸化物をさらに含有させることによって、記録層３の記録感度、透過率、反射率等の特性を調整することができる。例えば、記録層３にＭｎ酸化物及びＣｕ酸化物の少なくともいずれかを含有させることによって、記録層３の吸収率を増大させることができる。また、記録層３にＺｎ酸化物、Ａｇ酸化物及びＡｌ酸化物の少なくともいずれかを含有させることによって、記録層３の吸収率を低減させることができる。
【００３３】
記録層３の平均厚さの下限としては、１５ｎｍが好ましく、２５ｎｍがより好ましい。一方、記録層３の平均厚さの上限としては、６０ｎｍが好ましく、５０ｎｍがより好ましく、４０ｎｍがさらに好ましい。記録層３の平均厚さが上記下限に満たない場合、反射率が不十分となるおそれや、変調度が不十分となるおそれがある。逆に、記録層３の平均厚さが上記上限を超える場合、透過率が不十分となるおそれがある。
【００３４】
＜表側保護層＞
表側保護層４は、裏側保護層２と同様の薄層とすることができる。
【００３５】
＜光透過層＞
光透過層５の材質としては、記録再生を行うレーザーに対する透過率が大きく、吸収率が小さいものが使用される。具体的には、光透過層５は、例えばポリカーボネート、紫外線硬化樹脂等から形成することができる。また、光透過層５の平均厚さとしては、例えば０．１ｍｍ以上１．２ｍ以下とすることができる。
【００３６】
［光情報記録媒体の製造方法］
上述の光情報記録媒体は、基板１の表面に裏側保護層２を形成する工程＜裏側保護層形成工程＞と、裏側保護層２の表面に記録層３を形成する工程＜記録層形成工程＞と、記録層３の表面に表側保護層４を形成する工程＜表側保護層形成工程＞と、表側保護層４の表面に光透過層５を積層する工程＜光透過層積層工程＞とを備える方法により製造することができる。
【００３７】
＜裏側保護層形成工程＞
裏側保護層形成工程では、酸素を含有する雰囲気ガス中でのスパッタリングにより裏側保護層２を形成する。スパッタリングターゲットとしては、例えばＺｎ、Ｉｎ、Ｓｎ、Ｓｉ、Ａｌ、Ｚｒ、Ｇａ等の１種又は複数種の焼結体を用いることができる。また、異なる種類のスパッタリングターゲットを同時に使用してもよい。雰囲気ガスとしては、例えばアルゴン等の不活性ガスと酸素との混合ガスを用いることができる。雰囲気ガスにおける不活性ガスと酸素との体積比としては、約１：１とすることができる。
【００３８】
＜記録層形成工程＞
記録層形成工程では、本発明の別の実施形態に係るスパッタリングターゲットを用いるスパッタリングにより記録層３を形成する。
【００３９】
（スパッタリングターゲット）
本発明に係るスパッタリングターゲットは、Ｗと、Ｆｅと、Ｔａ及びＮｂの少なくともいずれかとを含む。Ｗ、Ｆｅ、Ｔａ及びＮｂは、例えば純金属、合金、金属酸化物等の形態で含まれ得る。本発明に係るスパッタリングターゲットは、粉末状の原料を混合して焼結したものであってもよい。
【００４０】
本発明に係るスパッタリングターゲットにおける全金属原子中のＷ、Ｆｅ、Ｔａ及びＮｂの含有量は、形成しようとする記録層３における全金属原子中のＷ、Ｆｅ、Ｔａ及びＮｂの含有量と等しく設定される。
【００４１】
また、本発明に係るスパッタリングターゲットは、形成しようとする記録層３のＭｎ酸化物、Ｃｕ酸化物、Ｚｎ酸化物、Ａｇ酸化物及びＡｌ酸化物を生成するために、Ｍｎ、Ｃｕ、Ｚｎ、Ａｇ及びＡｌの１種又は複数種の金属を含むことができる。本発明に係るスパッタリングターゲットにおける前記金属原子中のＭｎ、Ｃｕ、Ｚｎ、Ａｇ及びＡｌの含有量は、形成しようとする記録層３における全金属原子中のＣｕ、Ｚｎ、Ａｇ及びＡｌの含有量と等しく設定される。
【００４２】
スパッタリングは、不活性ガスと酸素とを含有する雰囲気ガス中で行われる。雰囲気ガスとしては、例えばアルゴン等を用いることができる。雰囲気ガスにおける不活性ガスと酸素との体積比としては、約１：１とすることができる。
【００４３】
＜表側保護層形成工程＞
表側保護層形成工程では、上述の裏側保護層形成工程と同様のスパッタリングにより表側保護層４を形成する。
【００４４】
＜光透過層積層工程＞
光透過層積層工程では、例えば表側保護層４の表面への樹脂組成物の塗布及び硬化、熱可塑性樹脂組成物の熱圧着等により光透過層５を積層する。
【００４５】
＜利点＞
本発明に係る光情報記録媒体の記録層３は、Ｗ酸化物と、Ｆｅ酸化物と、Ｔａ酸化物及びＮｂ酸化物の少なくともいずれかとを含むことによって、屈折率を大きくしながら消衰係数を小さくすることができると共に、その他の特性も比較的良好なものとすることができる。このため、当該記録層３は、単体で比較的良好な特性を得ることができる。これにより、当該光情報記録媒体は、比較的層の数が少ないため、生産性に優れる。
【００４６】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００４７】
本発明に係る光情報記録媒体において、記録層以外の層の構成は任意である。
【００４８】
本発明に係る記録層及び光情報記録媒体は、上述の製造方法によって製造されたものに限定されず、他の方法によって製造されたものであってもよい。
【００４９】
本発明に係る記録層は、Ｗ、Ｆｅ、Ｔａ及びＮｂのうちの１種又は２種の金属を含むスパッタリングターゲットと他の金属を含むスパッタリングターゲットとを同時に使用して形成してもよい。
【実施例】
【００５０】
以下、実施例に基づき本発明を詳述するが、この実施例の記載に基づいて本発明が限定的に解釈されるものではない。
【００５１】
＜試作例＞
基板として直径１２ｃｍのポリカーボネート基板（厚さ１．１ｍｍ，トラックピッチ０．４５μｍ，溝深さ２５ｎｍ）を用い、スパッタリングにより平均厚さ１４ｎｍの裏側保護層、平均厚さ３２ｎｍの記録層及び平均厚さ１４ｎｍの表側保護層をこの順番に積層し、さらにスピンコート法により紫外線硬化樹脂を塗付して紫外線で硬化することによって平均厚さ０．１ｍｍの光透過層を形成することで、光ディスク（光情報記録媒体）の試作例１〜１１を試作した。
【００５２】
記録層を形成するためのスパッタリングターゲットとしては、試作例１〜３，５〜１６では、タングステン、酸化鉄（ＩＩＩ）（Ｆｅ２Ｏ３）、亜鉛、タンタル、ニオブ、マンガン及びモリブデンの中から選択した複数種を同時に使用した。また、試作例４だけは、スパッタリングターゲットとして、タングステン粉末、酸化鉄（ＩＩＩ）粉末、タンタル粉末及びマンガン粉末を混合して焼結したものを使用した。また、スパッタリング時の雰囲気ガスとしては、アルゴンと酸素とを１：１で混合したものを圧力０．２６Ｐａで供給した。
【００５３】
一方、裏側保護層及び表側保護層を形成するためのスパッタリングターゲットとしては、錫粉末、亜鉛粉末及びジルコニウム粉末を混合して焼結したものを使用した。スパッタリング時の雰囲気ガスとしては、アルゴンと酸素とを１：１で混合したものを圧力０．２６Ｐａで供給した。
【００５４】
また、記録層の性能について正確に測定するために、ガラス基板上に同じ条件のスパッタリングにより上記試作例１〜１６と同じ裏側保護層、記録層及び表側保護層を積層した試験片もそれぞれ作成した。
【００５５】
以上のようにして試作した光ディスクの試作例１〜１６の記録層の組成を、蛍光Ｘ線分析法により測定した。
【００５６】
＜評価＞
光ディスクの試作例１〜１６の特性を、パルステック工業社の光ディスク評価装置「ＯＤＵ−１０００」を使用して評価した。記録レーザーの中心波長は４０５ｎｍとし、ＮＡ（開口係数）が０．８５のレンズを用い、線速４．９２ｍ／ｓとして、ブルーレイディスク規格のランダム信号を記録した。反射率はレーザー光の戻り光の強度から求めた。ジッター値、変調度の測定には、上記光ディスク評価装置にテクトロニクス社のタイムインターバルアナライザ「ＴＡ−８１０」及び横河電機のデジタルオシロスコープ「ＤＬ１６４０」を組み合わせて使用することにより測定した。パワーマージンは、ジッター値が最小となる記録パワーで規格化し、＋方向、−方向合わせてジッター値が８．５％以下を確保できる記録パワー範囲の比率を算出した。また、反射率は、ガラス基板上に成膜した試験片について、日本分光社の分光光度計「Ｖ−５７０」を用い、波長４０５ｎｍにおける値を測定した。
【００５７】
光ディスクの試作例１〜１６の記録層の組成、反射率、吸収率、ジッター値、変調度及びパワーマージンを次の表１にまとめて示す。なお、表中の組成の欄における「−」は含有していないことを意味する。また、表中の測定値における「−」は記録感度不足により情報を記録することができなかったことを示す。
【００５８】
【表１】
2019215948.tif 000003
【００５９】
光ディスクでは、反射率は２９％以上、吸収率は３．０％以上１５％以下、ジッター値は６．５％以下、変調度は４５％以上、パワーマージンは２５％以上であれば、それぞれ良好な特性を有すると判断することができる。
【００６０】
表１に示すように、記録層がＷ酸化物と、Ｆｅ酸化物と、Ｔａ酸化物及びＮｂ酸化物の少なくともいずれかとを含み、全金属原子中にＦｅを一定量含有し、かつＴａ及びＮｂを合計量として一定量含有する光ディスクの試作例１〜１１は、反射率、吸収率、ジッター値、変調度及びパワーマージンがいずれも良好であり、記録層及び保護層以外の層を追加して機能を補完する必要がないと考えられる。
【産業上の利用可能性】
【００６１】
本発明は、光ディスクに好適に利用することができる。
【符号の説明】
【００６２】
１  基板
２  裏側保護層
３  記録層
４  表側保護層
５  光透過層
【図１】
2019215948.tif 000004